(57)【特許請求の範囲】
【請求項１】
入力される映像信号を変換し、表示画面に出力する映像信号受信装置であって、
映像信号が入力される入力手段と、
前記入力手段により入力された映像信号を表示させた場合の表示画面中の位置を指定する位置指定手段と、
予め設定された値に応じて新たな補間係数を算出する補間係数算出手段と、
前記入力された映像信号の垂直方向および水平方向において、前記補間係数発生手段により算出された前記新たな補間係数から決定される拡大率を用いて前記位置指定手段により指定された前記位置ごとに順次映像を拡大させることにより、入力された映像信号を前記表示画面の所定のアスペクト比に適合する信号に変換する変換手段と、
前記変換手段において変換された信号を出力する出力手段と、を備えてなることを特徴とする映像信号受信装置。
【請求項２】
請求項１記載の映像信号受信装置において、
外部より前記変換手段における拡大率の設定を指示する設定手段を備えてなることを特徴とする映像信号受信装置。
【請求項３】
請求項１又は２記載の受信装置において、
前記変換手段は、複数種類の前記拡大率の設定がなされており、前記出力手段は、いずれかの設定による変換後の映像信号を出力することを特徴とする映像信号受信装置。
【請求項４】
請求項１記載の映像信号受信装置において、
前記変換手段は、さらに、入力される映像信号を、端部に無映像部分を有する映像信号または、表示画面において端部を切り捨てた映像信号に変換可能であることを特徴とする映像信号受信装置。
【請求項５】
請求項１から４のいずれかに記載の映像信号受信装置と、
該映像信号受信装置より出力された信号を表示する表示画面とを備えてなることを特徴とする映像信号表示装置。
【発明の詳細な説明】
【０００１】
【産業上の利用分野】
映像を画面に違和感なく表示させることができる映像圧縮拡大装置に関する。
【０００２】
【従来の技術】
高品位テレビの試験放送が１９９１年より始まり、画面のアスペクト比が１６：９の受信機も家庭用としての普及が始まりつつある。画面のアスペクト比が１６：９の受信機は、従来放送との整合性をとることが普及の重要なポイントであり、従来放送のアスペクト比をいかに１６：９に変換するかが大きな課題となっている。さらに、最近のパッケージソフト等に多数存在する映画サイズ、即ち、映像の上下に黒帯が付いて全体のアスペクト比が４：３である、いわゆるレターボックスの映像（映像のアスペクト比は様々である）は、画面のアスペクト比が１６：９の表示装置に映した場合、垂直方向に拡大することによって１６：９に近いアスペクト比を得ることができるため、垂直方向への拡大も必須の技術となっている。
【０００３】
例えば、特開平１−１９４７８４号公報では、ラインメモリの書き込み周波数と読みだし周波数を変えることによって映像を水平方向に圧縮し、アスペクト比が１６：９の画面の中にアスペクト比が４：３の映像をはめ込む方法と、偏向回路の出力振幅を変化させることによって映像を垂直方向に拡大し、上下の映像の一部分を切って表示する方法とを併用する方式が開示されている。
【０００４】
また、特開平３−１１８９１号公報では、映像の垂直方向の拡大をディジタル信号処理で行う技術が開示されている。図２に、ディジタル信号処理によって走査線を補間し、映像を垂直方向に拡大する、この既提案例における構成を示す。
【０００５】
図２において、２０１、２０２はディジタル化された映像信号の入力端子と出力端子、２０３は少なくとも１２０ライン程度の容量を持ったメモリ、２０４は１ラインメモリ、２０５、２０６は入力信号を係数倍するＲＯＭテーブル、２０７は加算器、２０８はメモリ２０３の制御信号の入力端子、２０９はＲＯＭ２０５，２０６のテーブルを切り換える制御信号の入力端子である。
【０００６】
この既提案例では、メモリ２０３は、入力端子２０８からの制御信号に従って、あらかじめ定められたライン周期で同一ラインを再度読み出すよう制御される。１ラインメモリ２０４で１ライン映像信号を遅延した結果、ＲＯＭ２０５、２０６には上下２ラインの走査線信号が供給され、入力端子２０９からの制御信号によって選択されたＲＯＭテーブルにおける係数が乗ぜられ、加算器２０７より正しい走査線の重心を持った信号を得ることができる。
【０００７】
この様にして得られた拡大映像は、順次走査の信号では、偏向回路の出力振幅を変化させることによって拡大した場合に比べて、走査線の間隔が変化しないため、大画面の表示装置においても高画質な映像を得ることができる。
【０００８】
この様に、アスペクト比が４：３の映像を、アスペクト比が１６：９の画面に表示させるために、様々な工夫が為されていた。
【０００９】
【発明が解決しようとする課題】
上記した２つの既提案例は、それぞれ、アスペクト比が４：３の映像を、アスペクト比が１６：９の画面に表示させる方式としては優れている。しかしながら、最近のパッケージソフトに多く見られる映画ソフトのレターボックスの映像には、様々なアスペクト比を持ったものが存在し、これらを、画面のアスペクト比が１６：９である表示装置にとって最適な大きさに合わせることは困難になっている。
【００１０】
また、大半を占めるアスペクト比が４：３の映像を圧縮して表示する方法については、特に、プロジェクションタイプの表示装置において、画面が焼き付く恐れもある。
【００１１】
本発明の目的は、上記した従来技術の問題点を解決し、映像全体を任意の大きさに縮小，拡大し、表示装置の画面のアスペクト比に合致した映像を得ることができる映像縮小拡大装置を提供することにある。
【００１２】
また、本発明の他の目的は、映像を部分的に縮小，拡大し、表示装置の画面のアスペクト比に合致した映像を得ることができる映像縮小拡大装置を提供することにある。
【００１３】
【課題を解決するための手段】
上記課題を解決するため、例えば、特許請求の範囲に記載されるような構成にすればよい。
【００１４】
【作用】
前記メモリ手段は入力映像信号を書き込みクロックに従って書き込む。この時、入力映像信号はライン単位で管理されて書き込まれる。一方、垂直圧縮拡大手段は、前記圧縮拡大率設定手段により設定された拡大率に従って前記メモリ手段の読みだしに関するライン周期を演算によって求め、制御信号を出力する。同様に水平圧縮拡大手段は、前記圧縮拡大率設定手段により設定された拡大率に従って前記メモリ手段の読みだしに関する画素周期を演算によって求め、制御信号を出力する。また、入力された書き込みクロックから、映像の水平圧縮率にしたがった新たな読みだしクロックが生成される。前記垂直圧縮拡大手段と前記水平圧縮拡大手段からの制御信号と前記読みだしクロックとを合成し、前記メモリ手段に供給する。
【００１５】
一般的には、１６：９のアスペクト比を持った画面に、４：３のアスペクト比を持った映像を正しい真円率を持って表示する場合、新たな読みだしクロックを前記書き込みクロックの４／３倍の周波数とし、拡大率を１倍に設定すると前記メモリ手段のライン単位での再度同一ラインを読みだす周期と、画素単位で再度同一画素を読みだす周期は無限大となり、単に読みだしクロックが４／３倍の周波数になったこととなり、映像を水平方向に圧縮して表示することとなる。したがって、１６：９のアスペクト比を持った画面に、４：３のアスペクト比を持った映像がはめ込まれたかたちとなる。
【００１６】
大きな拡大率を設定した場合、例えば４／３倍を例にとると、前記垂直圧縮拡大手段によって、ライン単位で再度同一のラインを読みだす周期は４ラインに設定され、４ラインに１回同一ラインが読みだされる。また、前記水平圧縮拡大手段は同様に４画素に１画素同一画素を読みだすように制御し、従って、垂直水平方向とも４／３倍に拡大された映像信号が出力される。前記設定値の指定を変えることによって任意の拡大率を得ることができる。また前記画面位置指定手段は入力映像信号の本来表示すべき位置を指定する。指定された表示位置において前記圧縮拡大率設定手段は圧縮拡大率を設定することができる。
【００１７】
【実施例】
本発明の一実施例を図１に示す。図１において、１０１はディジタル化した映像信号の入力端子、１０２は映像信号の出力端子、１０３はフィールドメモリ、１０４は垂直補間拡大回路、１０５は１ラインメモリ、１０６は垂直補間回路、１０７は水平補間拡大回路、１０８は画素遅延回路、１０９は水平補間回路、１１０は垂直拡大制御回路、１１１はメモリ制御回路、１１２は垂直補間係数発生回路、１１３は水平拡大制御回路、１１４は画像遅延制御回路、１１５は水平補間係数発生回路、１１６は第１の遅延回路、１１７は第２の遅延回路、１１８は書き込みクロックの入力端子、１１９は読みだしクロック発生回路、１２０は垂直拡大率設定値の入力端子、１２１は水平拡大率設定値の入力端子、１２２はメモリ制御信号の合成回路である。
【００１８】
図１において、入力端子１０１から入力された映像信号は、入力端子１１８からの書き込みクロックによってラインごとに管理され、順次フィールドメモリ１０３に書き込まれる。クロック発生回路１１９は、入力された書き込みクロックの約４／３倍の周波数を持つ読みだしクロックを発生し、合成回路１２２を通してフィールドメモリ１０３に供給する。従って、映像が水平方向に圧縮された映像信号がフィールドメモリ１０３より読みだされることとなる。垂直拡大制御回路１１０は、拡大率に応じたライン周期でフィールドメモリ１０３から映像信号を読みだすよう、合成回路１２２を介して制御する。また、同様の周期で垂直拡大回路１０４に含まれる１ラインメモリ１０５の書き込みを停止させ、フィールドメモリ１０３の出力信号のライン遅延出力を得る。この様子を図３に示す。
【００１９】
図３は垂直方向に４／３倍に拡大する場合の走査線の様子を示す説明図である。（ｂ）はフィールドメモリ１０３の出力信号であり、メモリ制御回路１１１によるラインリセット（ａ）のタイミングで同一走査線が繰返し読みだされる。（ｃ）は１ラインメモリ１０５の書き込み禁止制御信号でラインリセット（ａ）の１ライン前で書き込みを停止させ、１ラインメモリ１０５の出力信号（ｄ）を得る。この結果、垂直補間回路１０６には上下２つの走査線の信号が供給されることとなる。すなわち、(ｂ）と（ｄ）は必ず隣合わせの走査線の信号となる。
【００２０】
垂直補間回路１０６では、垂直拡大制御回路１１０からの制御信号にしたがって、補間演算（ｅ）により走査線信号を作成する。
【００２１】
図４に、垂直拡大制御回路１１０の構成を示す。図４において、１２０は拡大率に応じて決められた拡大設定値の入力端子、４０２は補間係数の出力端子、４０３はメモリ制御信号の出力端子、４０４は１ライン周期のパルスの入力端子、４０５は補間係数と入力端子１２０から入力された拡大設定値を加算する加算器、４０６は加算器４０５の出力信号のラッチ回路、４０７は加算器４０５の桁上がり信号のラッチ回路である。
【００２２】
この構成例は、出力される補間係数の精度を８ビットとしたものである。拡大設定値とフィードバックされた補間係数を、入力端子４０４から入力されるパルスに従って加算器４０５で繰り返し加算することにより、各ラインにおける新たな補間係数が順次得られる。また、この時、加算器４０５の桁上がり信号は、フィールドメモリ１０３で同一ラインを繰り返し読みだすためのメモリ制御信号となる。拡大率の設定値ｘと実際の拡大率ｚの関係は８ビットのシステムの場合、次の式で表すことができる。
【００２３】
【数１】
ｚ＝２５６／（２５６−ｘ）
上式から判るようにビット精度をあげることによって、理論的には任意の拡大率を得ることができる。
【００２４】
一方、垂直補間回路１０６によって得られた走査線は、図３（ｆ）に示す入力映像信号（入力端子１０１から入力された映像信号）に対して（ｇ）の位置に重心がある信号となる。これを実際の走査線の位置（ｈ）に表示することで、映像が垂直方向に拡大された映像信号が得られる。
【００２５】
水平方向の拡大も垂直方向の拡大と同様の構成で行なうことができる。水平拡大制御回路１１３で生成した遅延制御信号は合成回路１２２を通してフィールドメモリ１０３に供給される。フィールドメモリ１０３では、遅延制御信号に従って、拡大倍に応じた周期で同一画素を再度読みだす制御を行ない、映像が水平方向に拡大された映像信号を得る。さらに、水平拡大回路１０７では、水平拡大制御回路１１３からの制御信号にしたがって水平補間を行なって、映像が水平方向に拡大され、かつ重心のそろった映像信号を得る。遅延回路１１６、１１７は、フィールドメモリ１０３の制御と画素遅延回路１０８、水平補間回路１０９との遅延時間調整のために、挿入される。
【００２６】
この様に、本実施例では、フィールドメモリ１０３と１ラインメモリ１０５等を用いることによって、アスペクト比が４：３の映像をアスペクト比が１６：９の画面に表示させるために映像を水平方向に一旦圧縮し、同時に、映像を垂直方向及び水平方向に任意の大きさに拡大することが、簡単な回路構成で実現できる。例えば、フィールドメモリとして日立製のフィールドメモリＨＭ５３０２８１を用いれば、ラインリセット機能を用いて同一ラインを繰り返し読みだすことができ、制御が簡単になる。
【００２７】
図５に、本発明の他の実施例を示す。図５において、５０１はフィールドメモリ１０３の制御信号を遅延する遅延回路、５０２は補間係数の遅延回路であり、その他の構成要素は図１の実施例と同じである。本実施例は、水平拡大回路１０７で水平方向の拡大を行なった後に、垂直拡大回路１０４で垂直方向の拡大を行なっている点が、図１の実施例の構成と異なっている。回路の動作は図１の実施例と同様である。
【００２８】
本実施例では遅延回路１１６、１１７の遅延量が図１の実施例に比べて極めて小さく、回路規模を削減できる効果がある。遅延回路５０１、５０２はライン単位で制御するため、垂直拡大制御回路１１０の制御信号発生タイミングを考慮することによって、ほとんど遅延を行なう必要は無くなる。すなわち、本実施例の構成を採ることによって、さらに小さな回路規模で任意の圧縮，拡大が可能な回路を提供することができる。
【００２９】
図６に、本発明の別の実施例を示す。図６において、６０１は水平拡大制御回路１１３と同様の構成を成す第２の水平拡大制御回路であり、その他は図１の実施例と同じである。本実施例は、水平拡大制御回路１１３の他に同様の働きをする第２の水平拡大制御回路６０１を備えていることが、図１の実施例と異なる。回路の動作は図１の実施例と同様である。
【００３０】
第１の水平拡大制御回路１１３は、入力端子１２１より与えられた拡大設定値に従ってフィールドメモリ１０３を制御し、映像が水平方向に拡大された映像信号を得る。第２の水平拡大制御回路６０１は、第１の水平拡大制御回路１１３のリセットタイミングに対して、フィールドメモリ１０３と水平補間拡大回路１０７との間の遅延時間差を持ってリセットし、水平補間拡大回路１０７中の画素遅延回路１０８を制御する遅延制御信号と、水平補間回路１０９を制御する係数値を供給する。この結果、図１の実施例で必要となった遅延回路１１６、１１７が不必要となる。従って、回路の遅延時間を考慮し、図１の遅延回路１１６、１１７と図６の第２の水平拡大制御回路６０１のうち、回路規模の小さい方の実施例を選択することによって、最適な回路を構成することができる。
【００３１】
前述の実施例では、垂直拡大制御回路１１０と水平拡大制御回路１１３によって、映像全体を垂直方向、水平方向とも任意の大きさに圧縮，拡大することができた。これは、現行方式の映像信号による映像のうち、レターボックスタイプの映画のような横長の映像をアスペクト比が１６：９の画面を持った表示装置に映す際、無信号の黒帯部分を少なくするうえで大きな効果があった。しかしながら、通常のアスペクト比が４：３の映像では、拡大することによって画面からはみ出し、見えなくなってしまう部分も大きい。さらには、レターボックスの映像においても、そのサイズによっては、拡大した場合に、上下のサイズを合わせることによって左右の映像が見えなくなったり、左右のサイズを合わせることによって上下に黒帯の部分が残ったりして、違和感を与えることがあった。また、黒帯の部分は画面の焼き付きを起こすという問題点も指摘されている。
【００３２】
そこで、この様な問題点を解決した実施例を、図７を用いて説明する。すなわち、本実施例は、前述の実施例における垂直拡大制御回路１１０，水平拡大制御回路１１３を改良したものであり、図７はそのうち、垂直拡大制御回路１１０の構成を示すブロック図である。
【００３３】
図７において、７０１は画面のライン数をカウントする垂直カウンタ、７０２はある関数に従って垂直カウンタ７０１の値を変換する数値変換器、その他は図４の構成例と同じである。本実施例によれば、図４の構成例で示した入力端子１２０からの拡大率の設定値が、画面の位置によって数値変換器７０２の設定にしたがい自由に変換できるため、映像における任意の位置を任意の倍率で拡大することができる。数値変換器７０２は簡単な関数であれば論理回路で構成することができる。また、複雑な関数においてはＲＯＭ等を用いたルックアップテーブル方式を採っても良い。この実施例の使用例を図８に示す。
【００３４】
図８（ａ）は、現行方式の映像信号による映像を水平方向に圧縮して、アスペクト比が１６：９の画面に表示したものである。この映像は、横長のレターボックスタイプのもので、そのアスペクト比はほぼ２：１のものを想定しており、圧縮前における全体（映像及び黒帯の部分）のアスペクト比は４：３である。（ｂ）は（ａ）を垂直方向，水平方向とも４／３倍に拡大したものであり、１６：９の画面では映像の水平方向の大きさがほぼ合致する。しかしながら、前述のようにこの場合には上下に黒帯の部分が多少残ってしまい違和感を生ずる画面となる。
【００３５】
（ｃ）は図７に示す数値変換器７０２における関数を示したものである。縦軸は垂直カウンタ７０１の値であり、横軸は拡大率を示している。この関数は画面の中央付近で４／３倍の拡大率を与え、画面上下の端部で拡大率を大きくし、垂直方向の平均拡大率を３／２倍としたものである。この様な関数を数値変換器７０２において定義することにより、（ｄ）に示すように黒帯が無く、アスペクト比が１６：９の画面に収まった映像を提供することができる。この時、画面の中央部分では、水平と垂直方向の拡大率が一致しているため、正しい真円率で表示しており、真円率が変化しているのは画面の端部のみであるので、映像としての違和感はほとんど無くなる。
【００３６】
一方、（ｅ）は、垂直方向，水平方向とも３／２倍に拡大した場合であり、垂直方向のサイズはアスペクト比が１６：９の画面に一致するが、水平方向は映像の欠ける部分が生じてしまう。この場合には、水平拡大制御回路１１３に関して前述の数値変換器７０２の概念を導入する。数値変換器７０２の入力信号は水平カウンタ（図示せず）のカウント値となり、拡大率を決める関数は（ｆ）のように画面の水平方向の両端で拡大率が小さくなるものを選択する。この時、水平方向の平均拡大率が４／３倍となるように設定すると、（ｇ）に示すようにアスペクト比が１６：９の画面に全ての映像が収まるようにすることができる。この場合も（ｄ）と同様に映像に歪が発生するのは水平方向の両端だけであり、ほとんど違和感は無い映像となる。
【００３７】
この様に、本実施例では、図７に示す数値変換器７０２を導入して、図１に示したような映像を任意の大きさに拡大できる回路と組み合わせることによって、映像を部分的に圧縮，拡大することができるので、アスペクト比が１６：９の画面に、アスペクト比が４：３の映像や、レターボックスの映像を違和感無く表示させることが可能となる。
【００３８】
図９に、本発明のさらに別の実施例を示す。図９において、９０１は映像信号の入力端子、９０２はアスペクト比が４：３の画面を持つディスプレイ、９０３は入力映像信号にＹ／Ｃ分離等の信号処理を行なってディスプレイ９０２へ供給する映像処理回路、９０４は映像信号から同期信号を取り出す同期処理回路、９０５は映像信号の拡大圧縮率を設定するモード設定回路、９０６は同期処理回路９０４の出力信号からモード設定回路９０５の指定するモードにしたがいディスプレイ９０２を駆動するための垂直偏向電流を出力する垂直偏向回路、９０７は同期処理回路９０４の出力信号からモード設定回路９０５の指定するモードにしたがいディスプレイ９０２を駆動するための水平偏向電流を出力する水平偏向回路、９０８、９０９は垂直偏向回路９０６と水平偏向回路９０７の偏向電流出力に補正を加える第１、第２の偏向電流補正回路、９１０は高圧発生回路である。
【００３９】
本実施例では、映像の部分的な圧縮，拡大を偏向回路及び偏向電流補正回路によって行なっている点が前述の実施例と異なる。垂直偏向回路９０６は同期処理回路９０４からの垂直パルスにしたがって、ディスプレイ９０２を駆動する垂直ののこぎり波を発生する。同様に、水平偏向回路９０７は同期処理回路９０４からの水平パルスにしたがって、ディスプレイ９０２を駆動する水平ののこぎり波を発生する。この時、垂直偏向回路９０６、水平偏向回路９０７は、モード設定回路９０５により設定されたモードによって、発生するのこぎり波の傾きと位相をそれぞれ変える。したがって、映像は垂直方向，水平方向に全体的に拡大される。
【００４０】
一方、第１の偏向電流補正回路９０８は垂直偏向回路９０６に、また、第２の偏向電流補正回路９０９は水平偏向回路９０７に、それぞれ補正を加え、のこぎり波に部分的な歪を与える。この補正により、のこぎり波の傾きが部分的に変化し、映像は画面の場所ごとに拡大圧縮率が変わることとなる。
【００４１】
本実施例は、アスペクト比が４：３の画面にレターボックス形式の映像を表示する場合に特に有効である。この実施例の使用例を図１０に示す。
【００４２】
図１０（ａ）は、アスペクト比が４：３の画面にレターボックス形式の映像を表示したものである。レターボックス映像は、第２世代のＥＤＴＶ方式で取り入れられる方法で、今後普及することが予想される。第２世代のＥＤＴＶでは、上下の無画部に高精細情報が挿入されるため、アスペクト比が４：３の画面上では多少不自然さが残ると考えられる。（ｂ）は、垂直偏向回路９０６と水平偏向回路９０７を用いて映像を垂直方向，水平方向に全体的に拡大し、無画部の領域を減らす工夫を施したものである。しかしながら、左右両端に見えなくなる部分が存在するため問題が残る。（ｃ）は第２の偏向電流補正回路９０９を用いて、水平ののこぎり波の傾きを左右両端で小さくして映像を圧縮し、第１の偏向電流補正回路９０８を用いて、垂直ののこぎり波の傾きを上下両端で大きくして映像を拡大したものである。したがって、必要な映像のほとんどすべてが表示可能となる。（ｄ）は（ｃ）の表示方法をとった場合、表示した映像に生ずる歪を表したものである。中央部（ア）は歪が無く、歪が最も大きくなるのは四隅（エ）であり、ほとんど問題とならない。
【００４３】
本実施例の方式は図８に示したアスペクト比が１６：９の画面に表示する場合においても効果がある。また、前述のディジタル処理による拡大圧縮率の可変方式に比べて、比較的簡単であり、アナログ方式の表示装置に関しては、特に有効な方法である。
以上、上述した実施例によれば、例えば、アスペクト比が４：３の映像をアスペクト比が１６：９の画面に表示させるに当たって、映像全体を任意の大きさに縮小，拡大することができるので、画面のアスペクト比に合致した映像を得ることができ、映像を違和感なく画面に表示させることができる。また、映像を部分的に縮小，拡大することができるので、映像全体の拡大により映像が部分的に失われたり黒帯の部分が残ったりする等の問題点を解決でき、画面のアスペクト比に合致した映像を得ることができる。その結果、焼き付きを防ぐことも可能となる。しかも、いずれの場合も、小さな回路規模で実現することができる。
【００４４】
【発明の効果】
以上説明したように、本発明によれば、映像を画面に違和感なく表示させるための受信装置を提供することができる。
【図面の簡単な説明】
【図１】本発明の一実施例を示すブロック図である。
【図２】既提案例における構成を示すブロック図である。
【図３】図１の回路における動作内容及び映像の拡大の原理を説明するための説明図である。
【図４】図１の垂直拡大制御回路の構成を示すブロック図である。
【図５】本発明の他の実施例を示すブロック図である。
【図６】本発明の別の実施例を示すブロック図である。
【図７】本発明のさらに他の実施例における垂直拡大制御回路の構成を示すブロック図である。
【図８】図７の実施例の使用例を示す説明図である。
【図９】本発明のさらに別の実施例を示すブロック図である。
【図１０】図１０の実施例の使用例を示す説明図である。
【符号の説明】
１０３…フィールドメモリ、１０４…垂直補間拡大回路、１０５…１ラインメモリ、１０６…垂直補間回路、１０７…水平補間拡大回路、１０８…画素遅延回路、１０９…水平補間回路、１１０…垂直拡大制御回路、１１１…メモリ制御回路、１１２…垂直補間係数発生回路、１１３…水平拡大制御回路、１１４…画素遅延制御回路、１１５…水平補間係数発生回路、１１６、１１７…遅延回路、１２０…垂直拡大率設定値の入力端子、１２１…水平拡大率設定値の入力端子、１２２…メモリ制御信号の合成回路、４０２…補間係数の出力端子、４０３…メモリ制御信号の出力端子、４０５…加算器、４０６、４０８…ラッチ回路、５０１、５０２…遅延回路、６０１…水平拡大制御回路、７０１…カウンタ、７０２…数値変換器、９０３…映像信号処理回路、９０４…同期処理回路、９０５…モード設定回路、９０６…垂直偏向回路、９０７…水平偏向回路、９０８、９０９…偏向電流補正回路、９１０…高圧回路。
【図１】
0003716239.tif 000002
【図２】
0003716239.tif 000003
【図３】
0003716239.tif 000004
【図４】
0003716239.tif 000005
【図５】
0003716239.tif 000006
【図６】
0003716239.tif 000007
【図７】
0003716239.tif 000008
【図８】
0003716239.tif 000009
【図９】
0003716239.tif 000010
【図１０】
0003716239.tif 000011